(57)【要約】  アルゴンビーム機能を有する超極性電気外科用ブレードアセンブリ、およびアルゴンビーム機能を有する超極性電気外科用ペンシル、例えばアルゴンビーム機能を有する超極性伸縮電気外科用ペンシルは、すべて、切断および凝固のために双極モードで単極エネルギーを使用することができ、また切断および凝固のためにイオン化ガスを使用することができる。
2019522547.tif 000002
【特許請求の範囲】
【請求項１】
対向する平坦側部、鋭利な切断端、および対向する非切断端を有する非導電性ブレードと、
前記非導電性ブレードの前記対向する平坦側部のそれぞれに配置されたアクティブ接点とリターン接点の両方と、
前記非導電性ブレード部材に配置される非導電性中空管状部材であって、前記非導電性ブレードの一方の対向する平坦側部のアクティブ接点の少なくとも一部分を覆い、前記非導電性ブレードの前記他方の対向する平坦側部のリターン接点の少なくとも一部分を覆うようにする、非導電性中空管状部材と
を含む超極性電気外科用ブレードアセンブリ
を備える、超極性電気外科装置。
【請求項２】
前記非導電性ブレードの狭く細長い頂部が、前記非導電性ブレードの一方の対向する平坦側部のアクティブ接点と、前記非導電性ブレードの前記他方の対向する側部のリターン接点とを分離する、請求項１に記載の超極性電気外科装置。
【請求項３】
前記非導電性中空管状部材に隣接して前記非導電性ブレードに配置された第２の非導電性中空管状部材をさらに備える、請求項１に記載の超極性電気外科装置。
【請求項４】
前記非導電性ブレードに配置されたときに前記非導電性中空管状部材を支持するための非導電性シェルフ支持体をさらに備える、請求項１に記載の超極性電気外科装置。
【請求項５】
前記超極性電気外科用ブレードアセンブリを電気外科用ハンドピース内に保持するために前記非導電性ブレードに接続された非導電性支持部材をさらに備える、請求項１に記載の超極性電気外科装置。
【請求項６】
前記非導電性中空管状部材がセラミックを含む、請求項１に記載の超極性電気外科装置。
【請求項７】
前記非導電性ブレードがセラミックを含む、請求項１に記載の超極性電気外科装置。
【請求項８】
前記非導電性中空管状部材によって覆われている前記アクティブ接点および前記リターン接点の少なくとも一部は、前記非導電性ブレードの頂部から外側下方に突出している、請求項１に記載の超極性電気外科装置。
【請求項９】
前記非導電性中空管状部材は、前記非導電性ブレードの頂部に嵌合するスロットを含む、請求項１に記載の超極性電気外科装置。
【請求項１０】
前記非導電性管状部材は、前記非導電性管状部材の各端部の前記スロットの上方に配置された開口部をさらに含む、請求項９に記載の超極性電気外科装置。
【請求項１１】
第１の端部と第２の端部とを有するハンドピース部材であって、前記超極性電気外科用ブレードアセンブリが前記ハンドピース部材の前記第１の端部内に配置されているハンドピース部材と、
前記ハンドピース部材内に配置され、前記非導電性中空管状部材に接続されてガスを前記非導電性中空管状部材に供給するための非導電性管と
をさらに備える、請求項１に記載の超極性電気外科装置。
【請求項１２】
前記ハンドピース部材が、前記非導電性ブレードの前記鋭利な切断端から煙とデブリの
少なくとも１つを排出するためのチャネルをその内部に含む、請求項１１に記載の超極性電気外科装置。
【請求項１３】
前記ハンドピース部材の前記第２の端部に接続された回転部材をさらに備える、請求項１２に記載の超極性電気外科装置。
【請求項１４】
前記非導電性中空管状部材が、前記非導電性ブレードの前記狭く細長い頂部に嵌合するスロットを含む、請求項１１に記載の超極性電気外科装置。
【請求項１５】
前記非導電性管状部材が、前記非導電性管状部材の各端部の前記スロットの上方に配置された開口部をさらに含む、請求項１４に記載の超極性電気外科装置。
【請求項１６】
前記非導電性中空管状部材と前記非導電性管との間に配置され、それらに接続された第２の非導電性中空管状部材をさらに備える、請求項１１に記載の超極性電気外科装置。
【請求項１７】
前記中空非導電性管状部材が前記ハンドピース部材の前記第１の端部の外側に配置されている、請求項１６に記載の超極性電気外科装置。
【請求項１８】
第１の端部と第２の端部とを有するチャネルを有するハンドピース部材と、
前記チャネル内に含まれる第１の導電性中空管と、
前記チャネル内に含まれる第２の導電性中空管と、
第１の端部と第２の端部とを有する中空伸縮部材であって、前記中空伸縮部材の前記第２の端部が前記ハンドピース部材の前記第１の端部内に収容され、前記超極性電気外科用ブレードアセンブリが前記中空伸縮部材の前記第１の端部内に配置される中空伸縮部材と、
前記第１の導電性中空管よりも小さい直径を有する第３の導電性中空管であって、前記中空伸縮部材と前記第１の導電性中空管の少なくとも一部との中に含まれる第３の導電性中空管と、
前記中空伸縮部材と前記第２の導電性中空管の少なくとも一部との中に含まれる導電性円筒形部材であって、前記超極性電気外科用ブレードアセンブリの前記アクティブ接点と、前記超極性電気外科用ブレードアセンブリの前記非導電性中空管状部材が前記第３の導電性中空管に接続され、前記超極性電気外科用ブレードアセンブリの前記リターン接点が前記導電性円筒形部材に接続される導電性円筒形部材と、
をさらに備える、請求項１に記載の超極性電気外科装置。
【請求項１９】
前記ハンドピースの前記チャネル内に前記第１の導電性中空管および前記第２の導電性中空管を保持するための少なくとも１つの支持部材をさらに備える、請求項１８に記載の超極性電気外科装置。
【請求項２０】
前記中空伸縮部材内に前記第３の導電性中空管および前記導電性円筒形部材を保持するための少なくとも１つの支持部材をさらに備える、請求項１８に記載の超極性電気外科装置。
【発明の詳細な説明】
【技術分野】
【０００１】
関連出願の相互参照
本願は、２０１６年７月１５日に出願された「Ｕｌｔｒａｐｏｌａｒ  Ｅｌｅｃｔｒｏｓｕｒｇｅｒｙ  Ｂｌａｄｅ  Ａｓｓｅｍｂｌｙ  Ａｎｄ  Ｕｌｔｒａｐｏｌａｒ  Ｅｌｅｃｔｒｏｓｕｒｇｅｒｙ  Ｐｅｎｃｉｌ  Ｗｉｔｈ  Ａｒｇｏｎ  Ｂｅａｍ  Ｃａｐａｂｉｌｉｔｙ」という名称の係属番号６２／３６２，８７３の仮特許出願、および２０１６年７月１５日に出願された「Ｕｌｔｒａｐｏｌａｒ  Ｔｅｌｅｓｃｏｐｉｃ  Ｅｌｅｃｔｒｏｓｕｒｇｅｒｙ  Ｐｅｎｃｉｌ  Ｈａｖｉｎｇ  Ａｒｇｏｎ  Ｂｅａｍ  Ｃａｐａｂｉｌｉｔｙ」という名称の係属番号６２／３６２，９６８の仮特許出願に対する優先権を主張する。両者共参照によりその全体が本明細書に組み込まれる。
【０００２】
本発明は、概して、アルゴンビーム機能を有する超極性電気外科用ブレードアセンブリ、およびアルゴンビーム機能を有する伸縮ペンシルを含む、アルゴンビーム機能を有する超極性電気外科用ペンシルを対象とする。すべてが切断および凝固のために双極モードで単極エネルギーを使用することができ、すべてが切断および凝固のためにイオン化ガスを使用することができる。
【背景技術】
【０００３】
電気外科手術は、ＲＦ電気外科発生器（電気外科器またはＥＳＵとしても知られる）、および生体組織を切断または凝固させるために様々な電圧で高周波交流無線周波（ＲＦ）電流の投入をもたらす電極を備えたハンドピースを使用する。ハンドピースは、１つの電極を有する単極の器具または２つの電極を有する双極の器具であり得る。単極の器具を使用する場合、リターン電極板が患者に取り付けられ、高周波電流が発生器から単極の器具へ、患者を経て患者のリターン電極板へ流れて、発生器へ戻るように流れる。単極電気外科手術は、その汎用性と有効性のために、一般的に用いられている。しかし、単極電気外科手術で発生する過剰な熱は、患者の背後に位置するリターン電極が高電圧および高ＲＦエネルギーを患者に通すため、過剰な組織の損傷および組織の壊死を引き起こす可能性がある。
【０００４】
双極電気外科手術では、アクティブ電極およびリターン電極の両方が双極の器具に含まれているため、アクティブ出力機能と患者リターン機能の両方が手術部位で発生する。したがって、電流の経路は、アクティブ電極とリターン電極との間に位置する生体組織に限定される。双極電気外科手術で、単極電気外科手術よりも低い電圧および少ないエネルギーを使用できるようになり、それによって単極電気外科手術に関連する組織損傷およびスパークの可能性が低減し、または排除されるが、大きな出血領域を切断および凝固する能力は限られている。
【０００５】
電気外科手術中にアルゴンビーム凝固装置を使用することも一般的である。アルゴンビーム凝固（ＡＢＣ）では、イオン化されたアルゴンガスの指向性ビームによって組織に電流が加えられ、それによって均一で浅く凝固された表面ができ、それによって失血が停止する。しかし、切断を強化させたアルゴンビームはまた、イオン化アルゴンガスの適用を用いて実行することもある。
【０００６】
現在のところ、電気外科は切断のための最良の方法であることが多く、アルゴンビーム凝固は外科手術中に出血を停止させるための最良の方法であることが多い。外科医は通常、外科手術中に何が起こっているのか、組織の切断や切開、手術部位の出血の停止など、
外科手術の特定の時点で何を達成する必要があるのかに応じて、アルゴンビーム凝固と電気外科モードを切り替える必要がある。
【０００７】
しかし、外科医が現在利用可能な外科用器具および装置は外科手術中にこれら２つの方法の間で切り換えることが必要であるので、外科医または使用者が、別々および同時の双方で、つまりこれらを別々に使用することができることに加えて同時に、手術部位での切断および出血の停止に使用される最良の方法を利用できる外科手術用装置または器具が必要である。アルゴンビーム機能を有する電気外科用ブレードアセンブリ、およびこのような電気外科用ブレードアセンブリを利用するアルゴンビーム機能を有する電気外科用ペンシルにより、電気外科手術中に組織を切断および凝固するための安全で効率的、効果的かつ柔軟な方法を、使用者または外科医が得ることができる。さらに、超極性伸縮電気外科用ペンシルの伸縮能力により、使用者または外科医は、異なる外科手術部位へのアクセスに、より良好に適合するように、超極性電気外科用ペンシルの長さを調整することができる。
【発明の概要】
【０００８】
本発明は、アルゴンビーム機能を有する超極性電気外科用ブレードアセンブリ、およびアルゴンビーム機能を有する超極性電気外科用ペンシル、例えばアルゴンビーム機能を有する超極性伸縮電気外科用ペンシルを対象とし、すべて電気外科用ブレードを使用した切断および凝固のために、双極モードで単極エネルギーを使用することができるものである。また、アルゴンビーム機能を有する超極性電気外科用ブレードアセンブリ、および本発明のアルゴンビーム機能を有する超極性電気外科用ペンシルは、すべて切断および凝固のためにイオン化ガスを使用することができ、それによって手術手技の間に組織の切断および／または凝固を行うための様々な方法を、使用者または外科医に提供する。
【０００９】
本発明のアルゴンビーム機能を有する超極性電気外科用ブレードアセンブリの１つの例示的な実施形態で、アルゴンビーム機能を有する超極性電気外科用ブレードアセンブリは、対向する平坦側部、狭くて細長い頂部、鋭利な切断端、および対向する非切断端を有する非導電性ブレードと；非導電性ブレードの対向する平坦側部のそれぞれに配置されたアクティブ電極またはアクティブ接点、およびリターン電極またはリターン接点（本明細書全体で電極と接点という用語が互換的に使用されていることに留意されたい）の両方と、非導電性ブレード部材の狭く細長い頂部にわたって配置される非導電性中空管状部材とを含み、非導電性中空管状部材は、非導電性ブレードの対向する平坦側部の一方のアクティブ電極／接点の少なくとも一部分、および非導電性ブレードの他方の対向する平坦側部のリターン電極／接点の少なくとも一部分を覆うようにする。これにより、非導電性中空管状部材に供給されたガスが、非導電性中空管状部材内に含まれるアクティブおよびリターン電極／接点と接触するときにイオン化され、それによって患者を通る高電圧および高ＲＦエネルギーなしでの組織の切断と凝固の両方が可能になる。
【００１０】
また、アルゴンビーム機能を有する超極性電気外科用ブレードアセンブリの別の例示的な実施形態では、第２の非導電性中空管状部材は、電気外科用ブレードの対向する側部に配置されたアクティブ接点とリターン接点の両方の少なくとも一部分にわたって配置された前述の非導電性中空管状部材に隣接して配置することによって、本発明の超極性電気外科用ブレードアセンブリの一部として含まれ得る。この実施形態では、第２の非導電性中空管状部材はまた、電気外科用ブレードに配置して嵌合することができ（ただし、必ずしも電気外科用ブレードのアクティブ接点とリターン接点の両方にわたって配置する必要はない）、前述の非導電性中空管状部材は、それを電気外科用ブレードに配置された非導電性シェルフ支持体に位置させることによって電気外科用ブレードのアクティブ接点およびリターン接点の少なくとも一部にわたってその位置に支えることができる。それによって、電気外科用ブレードのアクティブ接点およびリターン接点の少なくとも一部にわたって
配置される非導電性中空管状部材は、交換可能／置換可能になる。また、電気外科用ブレードのアクティブ接点およびリターン接点の少なくとも一部分にわたって配置された非導電性中空管状部材は、第２の非導電性中空管状部材および／または非導電性シェルフ支持体に恒久的に取り付けることができる。非導電性中空管状部材は、電気外科用ブレードの少なくとも一部に嵌合するスロットと、非導電性中空管状部材内に含まれる電気外科用ブレードのアクティブ接点およびリターン接点と接触した後にイオン化ガスが出ることが可能な、スロットの上方に位置する開口部とを含み得る。
【００１１】
本発明のアルゴンビーム機能を有する超極性電気外科用ブレードアセンブリはまた、超極性電気外科用ブレードアセンブリを電気外科用ハンドピース内に保持するために非導電性ブレードに接続された非導電性支持部材をさらに備える。非導電性支持部材はまた、非導電性中空管状部材の一方または両方に取り付けてもよい。
【００１２】
本発明のアルゴンビーム機能を有する超極性電気外科用ハンドピースの例示的な実施形態で、超極性電気外科用ハンドピースは、第１の端部と第２の端部とを有するハンドピース部材と、ハンドピース部材の第１の端部内に配置される非導電性ブレードであって、対向する平坦側部、鋭利な切断端、および非導電性ブレードの対向する平坦側部のそれぞれに配置されたアクティブ接点およびリターン接点の両方を含む非導電性ブレードと、非導電性ブレードに配置される非導電性中空管状部材であって、非導電性ブレードの一方の対向する平坦側部のアクティブ接点の少なくとも一部分、および非導電性ブレードの他方の対向する平坦側部のリターン接点の少なくとも一部分を覆う非導電性中空管状部材と、ハンドピース部材内に配置され、非導電性中空管状部材に接続されてガスを非導電性中空管状部材に供給するための非導電性管とを含む。ハンドピース部材は、非導電性ブレードの鋭利な切断端から煙および／またはデブリを排出するためのチャネルを含むことができ、アルゴンビーム機能を有する超極性電気外科用ペンシルはまた、ハンドピース部材の第２の端部に接続される回転／旋回部材を含み得る。
【００１３】
本発明のアルゴンビーム機能を有する超極性伸縮電気外科用ペンシルの例示的実施形態は、第１の端部と第２の端部とを有するチャネルを有するハンドピース部材と；チャネル内に含まれる第１の導電性中空管と；チャネル内に含まれる第２の導電性中空管と；第１の端部と第２の端部とを有する中空伸縮部材であって、中空伸縮部材の第２の端部がハンドピース部材内に収容される中空伸縮部材と；第１の導電性中空管よりも小さい直径を有する第３の導電性中空管であって、中空伸縮部材と第１の導電性中空管の少なくとも一部との中に含まれる第３の導電性中空管と；中空伸縮部材と第２の導電性中空管の少なくとも一部の中に含まれる導電性円筒形部材と；中空伸縮部材の第１の端部内に配置される超極性電気外科用ブレードであって、対向する平坦側部、鋭利な切断端、および非導電性ブレードの対向する平坦側部のそれぞれのアクティブ接点とリターン接点の両方を有し、アクティブ接点が第３の導電性中空管に接続され、リターン接点が導電性円筒形部材に接続される超極性電気外科用ブレードと；超極性電気外科用ブレードに配置される非導電性中空管状部材であって、非導電性ブレードの一方の対向する平坦側部のアクティブ接点の少なくとも一部分、および非導電性ブレードの他方の対向する平坦側部のリターン接点の少なくとも一部分を覆うようにする、非導電性中空管状部材とを含む。
【００１４】
ハンドピース部材内のチャネルと中空伸縮部材の内部は一緒になって、手術手技中に切断および／または凝固が行われている非導電性ブレードの鋭利な切断端から煙および／またはデブリを排出するための煙排出チャネルとして機能する。アルゴンビーム機能を備えた超極性伸縮電気外科用ペンシルはまた、ハンドピースの第２の端部に接続された回転／旋回部材を含むことができ、超極性伸縮電気外科用ペンシルの端部への引っ張りを和らげ、超極性伸縮電気外科用ペンシルの端部に吸引管を取り付けているときの吸引管のねじれを軽減して、煙排出チャネルから煙および／またはデブリを排出する。
【００１５】
本発明のアルゴンビーム機能を有する超極性伸縮電気外科用ペンシルはまた、ハンドピースのチャネル内に第１の導電性中空管および第２の導電性中空管を保持するための少なくとも１つの支持部材と、第３の導電性中空管と導電性円筒形部材とを中空伸縮部材内に保持するための少なくとも１つの支持部材と、非導電性中空管状部材と第３の導電性中空管との間に配置されて接続される第２の非導電性中空管状部材と、超極性電気外科用ブレードに配置されたときに非導電性中空管状部材を支持するための非導電性シェルフ支持体とを含むがこれらに限定されない追加の要素を含み得る。
【００１６】
非導電性中空管状部材および非導電性ブレードはそれぞれセラミックを含むことができる。非導電性中空管状部材は、超極性電気外科用ブレードの頂部の少なくとも一部に嵌合するスロットと、非導電性管状部材の各端部のスロットの上方に位置する開口部とをさらに含み得る。さらに、中空非導電性管状部材は中空伸縮部材の第１の端部の外部に配置できる。加えて、第２の導電性中空管および第１の導電性中空管の一方または両方をそれらの外側外面の周囲で絶縁することができる。
【００１７】
本発明のアルゴンビーム機能を有する電気外科用ブレードアセンブリおよびアルゴンビーム機能を有する超極性電気外科用ペンシル、例えばアルゴンビーム機能を有する超極性伸縮電気外科用ペンシルの例示的な実施形態は、使用者または外科医が、電気外科用ブレードの鋭利な非導電性先端部で切断を実行すること、電気外科用ブレードのアクティブおよびリターン電極／接点を用いて切断すること、アクティブおよびリターン電極／接点の両方が配置される側部に電気外科用ブレードを配置することによって広い面積の生体組織を凝固させること、および電気外科用ブレードに含まれるアクティブおよびリターン電極／接点にわたって配置された非導電性中空管形部材から噴出するイオン化ガスを使用して組織を切断および凝固することを可能にする。本発明のアルゴンビーム機能を有する電気外科用ブレードアセンブリおよびアルゴンビーム機能を有する電気外科用ペンシルの特に新規かつ革新的な特徴は、使用者または外科医が、電気外科用ブレードの鋭利な非導電性先端部を用いて組織を切断するのと同時に電気外科用ブレードに含まれるアクティブおよびリターン電極／接点にわたって配置された非導電性中空管形部材から出るイオン化ガスを使用して組織を凝固させることが可能になる点である。本発明のアルゴンビーム機能を有する電気外科用ブレードアセンブリおよびアルゴンビーム機能を有する電気外科用ペンシルは、電気外科手術中に組織を切断および凝固させるための安全で効率的、効果的かつ柔軟な方法を使用者または外科医に提供する。本発明のアルゴンビーム機能を有する電気外科用ブレードアセンブリおよびアルゴンビーム機能を有する電気外科用ペンシルは、高電圧および高ＲＦエネルギーが電気外科手術の間に患者を通る必要がないという事実により、他の電気外科器具および方法よりも患者にとってはるかに安全である。加えて、本発明のアルゴンビーム機能を有する超極性伸縮電気外科用ペンシルの伸縮能力により、使用者または外科医は、異なる外科手術部位へのアクセスにより良好に適合するように、超極性ペンシルの長さを調整することが可能になる。
【図面の簡単な説明】
【００１８】
【図１】図１は、本発明のアルゴンビーム機能を有する超極性電気外科用ブレードアセンブリの一部を構成する超極性電気外科用ブレードの例示的な実施形態の部分的な斜視図である。
【図２】図２は、図１に示されている超極性電気外科用ブレードの例示的実施形態の上面図である。
【図３】図３は、超極性電気外科用ブレードにわたって配置され、シェルフ支持体によって支持される第１の中空非導電性管状部材を伴わずに示される、本発明のアルゴンビーム機能を有する超極性電気外科用ブレードアセンブリの例示的な実施形態の部分的な斜視図である（第１の中空非導電性管状部材およびそれをシェルフ支持体に位置させることについては、図６および７を参照されたい）。
【図４】図４は、超極性電気外科用ブレードの対向する側部に配置されているアクティブおよびリターン接点／電極を示すための、第１の中空非導電性管状部材を伴わない、１８０度回転させて示された、図６に描写するアルゴンビーム機能を有する超極性電気外科用ブレードアセンブリの例示的実施形態の斜視図である。
【図５】図５は、第１の非導電性中空管状部材を伴わない、図６に示されるアルゴンビーム機能を有する超極性電気外科用ブレードアセンブリの例示的実施形態の上面図である。
【図６】図６は、第１の中空非導電性管状部材が電気外科用ブレードにわたっていかに配置されるかを示す、本発明のアルゴンビーム機能を有する超極性電気外科用ブレードアセンブリの例示的な実施形態の分解斜視図である。
【図７】図７は、本発明のアルゴンビーム機能を有する超極性電気外科用ブレードアセンブリの別の例示的実施形態の斜視図である。
【図８】図８は、電気外科用ペンシルの内部を示すための、電気外科用ペンシルのハンドピース部分の側部を取り除いて示した、本発明のアルゴンビーム機能を有する超極性電気外科用ペンシルの例示的な実施形態の側面斜視図である。
【図９】図９は、電気外科用ペンシルの内部の要素を示すための、ハンドピースと中空伸縮部材の接続を解除して、ハンドピースと中空伸縮部材の側部を取り除いて示されている、本発明のアルゴンビーム機能を有する超極性伸縮電気外科用ペンシルの例示的な実施形態の斜視図である。
【図１０】図１０は、超極性電気外科用ブレードアセンブリが超極性伸縮電気外科用ペンシルの内部構成要素にどのように接続されるかを示すため、図９に描写された超極性伸縮電気外科用ペンシルに含まれる超極性電気外科用ブレードアセンブリ、および図９に描写された超極性伸縮電気外科用ペンシルの第３の導電性管および導電性円筒形部材の例示的な実施形態の部分的な分解斜視図である。
【図１１】図１１は、超極性電気外科用ブレードアセンブリの非導電性中空管状部材および超極性伸縮電気外科用ペンシルの第３の導電性中空管を伴わない、図１０に示す超極性電気外科用ブレードアセンブリの例示的実施形態の上面図である。
【図１２】図１２は、超極性電気外科用ブレードの対向する側部に配置されているアクティブおよびリターン接点／電極を示すための、１８０度回転させて示した、図１０に描写している、超極性伸縮電気外科用ペンシルの超極性電気外科用ブレードアセンブリ、第３の導電性管、および導電性円筒形部材の例示的実施形態の斜視図である。
【図１３】図１３は、図９〜図１２および図１４に描写している超極性電気外科用ブレードの非導電性ブレード部分の形状を示す部分的な斜視図である。
【図１４】図１４は、図９〜図１３に描写している超極性電気外科用ブレードを、そのアクティブ接点およびリターン接点と共に示す部分的な斜視図である。
【発明を実施するための形態】
【００１９】
本発明のアルゴンビーム機能を有する超極性電気外科用ブレードアセンブリ、およびアルゴンビーム機能を有する超極性電気外科用ペンシル、例えばアルゴンビーム機能を有する超極性伸縮電気外科用ペンシルは、電気外科手術を使用する手術手技の間に組織の切断および／または凝固を行うための様々な方法を、使用者または外科医に提供する。アルゴンビーム機能を有する超極性電気外科用ブレードアセンブリおよびアルゴンビーム機能を有する超極性電気外科用ペンシルは、すべて電気外科用ブレードを使用して切断および凝固するために双極モードで単極エネルギーを使用することができ、すべて切断および凝固にイオン化ガスを使用することができる。本発明のアルゴンビーム機能を有する超極性電気外科用ペンシルはまた、切断および／または凝固のために電気外科用ブレードおよび／またはイオン化ガスを使用しながら、手術部位から煙とデブリを排出することを提供し得る。さらに、本発明のアルゴンビーム機能を有する超極性伸縮電気外科用ペンシルの伸縮能力により、使用者または外科医は、異なる外科手術部位へのアクセスに、より良好に適
合するように、超極性ペンシルの長さを調整することが可能になる。
【００２０】
当業者が理解するように、すべての図面に示されているようなアクティブおよびリターン電極／接点は逆にすることができ、すなわちアクティブ接点として示されている接点はリターン接点とすることができ、リターン接点として示されている接点はアクティブ接点とすることができる。なぜなら、非導電性電気外科用ブレードの対向する両方の平坦側部が、互いの構成を模倣しているアクティブ接点とリターン接点の両方を有しているからである。電極／接点の種類を逆にしても、同じ機能的特徴および利点を有するアルゴンビーム機能を有する超極性電気外科用ブレードアセンブリおよびアルゴンビーム機能を有する超極性電気外科用ペンシルが依然としてもたらされる。「電極」および「接点」という用語は、本明細書を通して交換可能に使用されることを意図している。
【００２１】
図１は、本発明のアルゴンビーム機能を有する超極性電気外科用ブレードアセンブリの一部を構成する超極性電気外科用ブレードの例示的な実施形態の部分的な斜視図である。超極性電気外科用ブレード１０は、対向する平坦側部１４と、狭く細長い頂部１６と、鋭利な切断端１８と、対向する非切断端（ブレードの一部分の図であるために示さず）とを有する非導電性ブレード１２を含む。超極性電気外科用ブレード１０はまた、非導電性ブレード１２の対向する平坦側部１４のそれぞれに配置されたアクティブ電極２０とリターン電極２２の両方を含む。非導電性ブレード１２の狭く細長い頂部１６に隣接して位置するアクティブ電極２０およびリターン電極２２の部分２４は、狭く細長い頂部１６から外側下方に突出する非導電性ブレード１２の一部に存在する。
【００２２】
超極性電気外科用ブレード１０はまた、後に図６および図７を参照して示され説明されるアルゴンビーム機能を有する電気外科用ブレードアセンブリの一部を構成する非導電性中空管状部材を支持するための非導電性シェルフ支持体２６を含み得る。図１に示されている超極性電気外科用ブレード１０の例示的実施形態の上面図が図２に示される。
【００２３】
第１の中空非導電性管状部材３２が超極性電気外科用ブレード１０の上にいかに配置されるかを示す、本発明のアルゴンビーム機能を有する超極性電気外科用ブレードアセンブリ３０の例示的な実施形態の分解斜視図を図６に示す。第１の非導電性中空管状部材３２は、非導電性ブレード１２の狭く細長い頂部１６に嵌合するスロット３４を有し、それにより非導電性中空管状部材３２は、非導電性ブレード１２の一方の対向する平坦側部１４のアクティブ電極２０の少なくとも一部、および非導電性ブレード１２の他方の対向する平坦側部１４の電極のリターン電極２２の少なくとも一部を覆う。非導電性中空管状部材３２はさらに、非導電性中空管状部材３２の各端部においてスロット３４の上方に配置された開口部３６を含む。これにより、非導電性中空管状部材３２に供給されたガスが、非導電性中空管状部材３２内に含まれるアクティブ電極およびリターン電極の諸部分と接触するときにイオン化でき、次いでイオン化ガスが、超極性電気外科用ブレード１０の鋭利な切断端１８の最も近い位置に配置されている、非導電性中空管状部材３２の開口部３６を通して放出される。
【００２４】
第２の非導電性中空管状部材３８は、第１の非導電性中空管状部材３２に隣接する非導電性ブレード１２の狭く細長い頂部１６の上に配置され得るが、アクティブ電極２０およびリターン電極２２のいかなる部分も覆っていない。第１の非導電性中空管状部材３２は、超極性電気外科用ブレード１０の非導電性シェルフ支持体２６に位置することができ、第１の非導電性中空管状部材３２は交換可能／置換可能であり得る。あるいは、第１の非導電性中空管状部材３２は、第２の非導電性中空管状部材３８および／または非導電性シェルフ支持体２６に恒久的に取り付けてもよい。
【００２５】
第１の中空非導電性管状部材３２が超極性電気外科用ブレード１０にわたって配置され
ずに示される、本発明のアルゴンビーム機能を有する超極性電気外科用ブレードアセンブリ３０の例示的な実施形態の部分的な斜視図を、図３に示している。図３は、第１の非導電性中空管状部材３２が超極性電気外科用ブレード１０にわたって配置されたときに覆われる超極性電気外科用ブレード１０の一部分のより拡大した斜視図である、図６に描写しているものの部分的な図を示す。図４は、超極性電気外科用ブレードの対向する側部に配置されているアクティブおよびリターン接点／電極を示すための、第１の中空非導電性管状部材を伴わない、１８０度回転させた、図６に示すアルゴンビーム機能を有する超極性電気外科用ブレードアセンブリの例示的実施形態の斜視図である。図４および図６に示すように、第１の非導電性中空管状部材３２が超極性電気外科用ブレード１０の狭く細長い頂部１６の上に位置するとき、第１の非導電性中空管状部材３２は、非導電性ブレード１２の一方の対向する平坦側部１４にあるリターン電極／接点２２の一部（図６参照）、および非導電性ブレード１２の他方の対向する平坦側部１４にあるアクティブ電極／コンタクト２０の一部（図４参照）を覆う。図５は、第１の非導電性中空管状部材を伴わない、図６に示されるアルゴンビーム機能を有する超極性電気外科用ブレードアセンブリの例示的実施形態の上面図である。
【００２６】
非導電性ブレード１２および第１の非導電性中空管状部材３２はそれぞれセラミック材料を含むことができる。第２の非導電性中空管状部材３８もセラミック材料を含み得る。
【００２７】
図７は、本発明のアルゴンビーム機能を有する超極性電気外科用ブレードアセンブリ４０の別の例示的実施形態の斜視図である。アルゴンビーム機能を有する超極性電気外科用ブレードアセンブリ４０は、超極性電気外科用ブレード５０、第１の非導電性中空管状部材７０、および第２の非導電性中空管状部材８０を含む。超極性電気外科用ブレード５０は、対向する平坦側部５４と、狭く細長い頂部５６と、鋭利な切断端５８と、対向する非切断端５９とを有する非導電性ブレード５２を含む。超極性電気外科用ブレード５０はまた、非導電性ブレード５２の対向する平坦側部５４のそれぞれに配置されたアクティブ電極６０とリターン電極６２の両方を含む。非導電性ブレード５２の狭く細長い頂部５６に隣接して位置するアクティブ電極６０およびリターン電極６２の部分は、狭く細長い頂部５６から外側下方に突出する非導電性ブレード５２の一部に存在する。超極性電気外科用ブレード５０はまた、超極性電気外科用ブレード５０にわたって配置される第１の非導電性中空管状部材７０を支えるための非導電性シェルフ支持体６６を含み得る。第１の非導電性中空管状部材７０は、非導電性ブレード５２の狭く細長い頂部５６に嵌合するスロット７４を有し、それにより非導電性中空管状部材７０は、非導電性ブレードの一方の対向する平坦側部５４のアクティブ電極６０の少なくとも一部、および非導電性ブレード５２の他方の対向する平坦側部５４の電極のリターン電極６２の少なくとも一部を覆う。第１の非導電性中空管状部材７０はさらに、非導電性中空管状部材７０の各端部のスロット７４の上方に位置する開口部７６を含む。これにより、非導電性中空管状部材７０に供給されたガスが、非導電性中空管状部材７０内に含まれるアクティブ電極およびリターン電極の諸部分と接触する際にイオン化でき、次いでイオン化ガスが超極性電気外科用ブレード５０の鋭利な切断端５８の最も近い位置に配置されている、非導電性中空管状部材７０の開口部７６を通して放出される。
【００２８】
第２の非導電性中空管状部材８０は、第１の非導電性中空管状部材７０に隣接する非導電性ブレード５２の狭く細長い頂部５６にわたって配置され得るが、アクティブ電極６０およびリターン電極６２のいかなる部分も覆っていない。第１の非導電性中空管状部材７０は、超極性電気外科用ブレード５０の非導電性シェルフ支持体６６上に位置することができ、第１の非導電性中空管状部材７０は交換可能／置換可能であり得る。あるいは、第１の非導電性中空管状部材７０は、第２の非導電性中空管状部材８０および／または非導電性シェルフ支持体６６に恒久的に取り付けることができる。アルゴンビーム機能を備えた超極性電気外科用ブレードアセンブリ４０は、電気外科用ハンドピース内でアルゴンビ
ーム機能を備えた超極性電気外科用ブレードアセンブリを保持するための、超極性電気外科用ブレード５０に接続された非導電性電支持部材９０をさらに含む。非導電性支持部材９０はまた、第１および第２の非導電性中空管状部材７０、８０の一方または両方に取り付けてもよい。図７において、非導電性支持部材９０は、超極性電気外科用ブレード５０および第２の非導電性中空管状部材８０に取り付けられて示されている。第１の非導電性中空管状部材７０内にイオン化されるガスを供給するために、第２の非導電性中空管状部材８０に取り付けられた非導電性管９５が示されている。
【００２９】
図８は、超極性電気外科用ペンシルの内部を示すための、超極性電気外科用ペンシル８００のハンドピース部分の側部を取り除いて示した、本発明のアルゴンビーム機能を有する超極性電気外科用ペンシル８００の例示的な実施形態の側面斜視図である。アルゴンビーム機能を有する超極性電気外科用ハンドピース８００は、第１の端部８０４および第２の端部８０６を有するハンドピース部材８０２と、ハンドピース部材８０２の第１の端部８０４内に配置された超極性電気外科用ブレード８１０とを含む。超極性電気外科用ブレード８１０は、対向する平坦側部８１４、狭く細長い頂部８１６、および鋭利な切断端８１８を有する非導電性ブレード８１２と、ならびに非導電性ブレード８１２の対向する平坦側部８１４のそれぞれに配置されたアクティブ接点８２０およびリターン接点８２２の両方とを含む。第１の非導電性中空管状部材８３２は、非導電性ブレード８１２に配置され、非導電性ブレード８１２の一方の対向する平坦側部８１４のアクティブ接点８２０の少なくとも一部、および非導電性ブレード８１２の他方の対向する平坦側部８１４のリターン接点８２２の少なくとも一部を覆うようにする。アルゴンビーム機能を有する超極性電気外科用ペンシルは、ハンドピース部材８０２内に含まれ、第１の非導電性中空管状部材８３２に接続された第２の非導電性中空管状部材８３８、およびハンドピース部材８０２内に配置されて、第１および第２の非導電性中空管状部材８３２、８３８にガスを供給するために、第２の非導電性中空管状部材８３８に接続されている非導電性管８４０をさらに含む。ワイヤ８４２はアクティブ接点８２０とリターン接点８２２とを回路基板８４４に接続し、回路基板８４４はひいては電源コード８４６を介して電源に接続される。ハンドピース部材８０２の選択ボタン８４８は、切断および／または凝固を作動させるために使用される。ハンドピース部材は、非導電性ブレード８１２の鋭利な切断端８１８から煙および／またはデブリを排出するためのチャネル８５０を含むことができ、また、アルゴンビーム機能を有する超極性電気外科用ペンシル８００は、回転／旋回部材８５２を含み得る。これは、ハンドピース部材８０２の第２の端部８０６に接続させて、煙を排出するための真空を有するアルゴンビーム機能を有する超極性電気外科用ペンシル８００を操作するときの吸引管の引っ張りおよびねじれを軽減する。アルゴンビーム機能を有する超極性電気外科用ブレードアセンブリの前述の実施形態のいずれかは、超極性電気外科用ブレードの対向する側部に位置するアクティブ接点およびリターン接点の諸部分にわたって配置された第１の非導電性中空管状部材のみを有する超極性電気外科用ブレードアセンブリを含む、本発明のアルゴンビーム機能を有する超極性電気外科用ペンシルと共に使用され得る。
【００３０】
図９は、電気外科用ペンシルの内部要素を示すための、ハンドピースと中空伸縮部材とが接続されておらず、ハンドピースおよび中空伸縮部材の側部が取り除かれて示されている、本発明のアルゴンビーム機能を有する超極性伸縮電気外科用ペンシル１００の例示的な実施形態の斜視図である。アルゴンビーム機能を有する超極性伸縮電気外科用ペンシル１００は、第１および第２の端部１１６、１１８を有するチャネル１１４を有するハンドピース部材１１２、チャネル１１４内に収容された第１の導電性中空管１２０、チャネル１１４内に収容された第２の導電性中空管１２２、第１および第２の端部１３４、１３６を有する中空伸縮部材１３２、ここで第２の端部１３６はハンドピース部材１１２内に収容されている、第１の導電性中空管１２０よりも小さい直径を有し、中空伸縮部材１３２および第１の導電性中空管１２０の少なくとも一部内に収容されている第３の導電性中空
管１４０、中空伸縮部材１３２および第２の導電性中空管１２２の少なくとも一部内に含まれる導電性円筒形部材１４２、および中空伸縮部材１３２の第１の端部１３４内に配置された超極性電気外科用ブレード２００を含む。超極性電気外科用ブレード２００は、対向する平坦側部２１４と、鋭利な切断端２１８とを有する非導電性ブレード２１２、および非導電性ブレード２１２の対向する平坦側部２１４のそれぞれに配置されたアクティブ接点２２０とリターン接点２２２の両方を含み、ここで、アクティブ接点２２０が第３の導電性中空管１３２に接続され、リターン接点２２２が導電性円筒形部材１４２に接続されている。さらに、非導電性中空管状部材３３２は、超極性電気外科用ブレード２００に配置され、非導電性ブレード２１２の一方の対向する平坦側部２１４のアクティブ接点２２０の少なくとも一部と、非導電性ブレード２１２の他方の対向する平坦側部２１４のリターン接点２２２の少なくとも一部とを覆う。第２の非導電性中空管状部材３３８もまた、非導電性中空管状部材３３２に隣接してこれと接続するように、超極性電気外科用ブレード２００に配置してもよい。超極性電気外科用ブレード２００に配置されたときに非導電性中空管状部材３３２を支えるために、非導電性シェルフ支持体２２６を非導電性ブレード２１２に含めることができる。
【００３１】
超極性電気外科用ブレード２００および非導電性中空管状部材３３２（および、同様に含まれる場合は第２の非導電性管状部材３３８）も一緒になって、図１０〜図１２を参照してさらに詳細に説明するアルゴンビーム機能を有する超極性電気外科用ブレードアセンブリ３００を形成する。さらに、アルゴンビーム機能を有する超極性電気外科用ブレードアセンブリ３００の例示的な実施形態は、係属番号６２／３６２，８７３を有する仮特許出願、および係属番号１５／６４８，５５３を有するその関連実用特許出願にも記載されている。両方とも参照によりその全体が本明細書に組み込まれる。
【００３２】
アルゴンビーム機能を有する超極性伸縮電気外科用ペンシル１００はまた、第１の導電性中空管１２０および第２の中空導電性管１２２をハンドピース部材１２２のチャネル１１４内に保持するための少なくとも１つの支持部材１５０を含み得る。アルゴンビーム機能を有する超極性伸縮電気外科用ペンシル１００はまた、第３の導電性中空管１４０および導電性円筒形部材１４２を中空伸縮部材１３２内に保持するための少なくとも１つの支持部材１６０を含み得る。
【００３３】
アルゴンビーム機能を有する超極性伸縮電気外科用ペンシル１００は、煙および／またはデブリを排出するための真空がそれに取り付けられたとき、操作時に超極性伸縮電気外科用ペンシル１００の端部への引っ張りを避け、超極性伸縮電気外科用ペンシル１００の操縦を容易にするための、ハンドピース部材１１２の第２の端部１１８に接続された回転／旋回部材１７０をさらに含み得る。加えて、アルゴンビーム機能を有する超極性電気外科用ブレードアセンブリ３００を中空伸縮部材１３２の第１の端部１３４内に配置して、非導電性中空管状部材３３２が、中空伸縮部材１３２の第１の端部１３４の外側に配置されるようにする。さらにまた、ハンドピース部材１１２内に収容された第１の導電性中空管１２０および第２の導電性中空管１２２は、それらの外面に絶縁体を有してもよい。
【００３４】
図１４は、本発明のアルゴンビーム機能を有する超極性伸縮電気外科用ペンシル１００の一部を構成するアクティブ接点およびリターン接点と共に示される、図９〜図１３に示される超極性電気外科用ブレードの部分的な斜視図である。図１４は、図１と同一であるが異なる参照番号で示されて、図９〜図１３を参照して説明した超極性伸縮電気外科用ペンシルの実施形態に対応している。超極性電気外科用ブレード２００は、対向する平坦側部２１４と、狭く細長い頂部２１６と、鋭利な切断端２１８と、対向する非切断端（ブレードの一部分の図であるために図示せず）とを有する非導電性ブレード２１２を含む。超極性電気外科用ブレード２００はまた、非導電性ブレード２１２の対向する平坦側部２１４のそれぞれに配置されたアクティブ電極２２０とリターン電極２２２の両方を含む。非
導電性ブレード２１２の狭く細長い頂部２１６に隣接して位置するアクティブ電極２２０およびリターン電極２２２の部分２２４は、狭く細長い頂部２１６から外側下方に突出する非導電性ブレード２１２の上側部分２３０に存在する。超極性電気外科用ブレード２００はまた、図１０〜図１２を参照して示され説明されたアルゴンビーム機能を有する電気外科用ブレードアセンブリ３００の一部を含む非導電性中空管状部材３３２を支持するための非導電性シェルフ支持体２２６を含み得る。
【００３５】
図１３は、図９〜図１２および図１４に示されている超極性電気外科用ブレード２００の非導電性ブレード部分２１２の形状を示す部分的な斜視図である。非導電性ブレード２１２は、対向する平坦側部２１４と、狭く細長い頂部２１６と、鋭利な切断端２１８と、対向する非切断端（ブレードの一部分の図であるために図示せず）とを含む。非導電性ブレード２１２の上側部分２３０は、狭く細長い頂部２１６から外側下方に、また非導電性ブレード２１２の対向する平坦側部２１４の中に突出している。非導電性ブレード２１２はまた、アルゴンビーム機能を有する電気外科用ブレードアセンブリ３００の一部を構成する非導電性中空管状部材３３２を支持するための非導電性シェルフ支持体２２６を含み得る。
【００３６】
図１０は、超極性電気外科用ブレードアセンブリ３００が超極性伸縮電気外科用ペンシル１００の内部構成要素にどのように接続されるかを示すため、図９に示された超極性伸縮電気外科用ペンシル１００に含まれる超極性電気外科用ブレードアセンブリ３００、ならびに図９に示された超極性伸縮電気外科用ペンシル１００の第３の導電性中空管１４０および導電性円筒形部材１４２の例示的な実施形態の部分的な分解斜視図である。第１の非導電性中空管状部材３３２は、非導電性ブレード２１２の狭く細長い頂部２１６に嵌合するスロット３３４を有し、それにより非導電性中空管状部材３３２は、非導電性ブレード２１２の一方の対向する平坦側部２１４のアクティブ電極２２０の少なくとも一部、および非導電性ブレード２１２の他方の対向する平坦側部２１４のリターン電極２２２の少なくとも一部を覆う。非導電性中空管状部材３３２は、非導電性中空管状部材３３２の各端部のスロット３３４の上方に位置する開口部３３６をさらに含む。これにより、非導電性中空管状部材３３２に供給されたガスが、非導電性中空管状部材３３２内に含まれるアクティブ電極およびリターン電極の諸部分と接触するときにイオン化でき、次いでイオン化ガスが、超極性電気外科用ブレード２００の鋭利な切断端２１８の最も近い位置に配置されている、非導電性中空管状部材３３２の開口部３３６を通して放出される。
【００３７】
第２の非導電性中空管状部材３３８は、第１の非導電性中空管状部材３３２に隣接する非導電性ブレード２１２の狭く細長い頂部２１６にわたって配置されてもよいが、リターン電極／接点２２２のいかなる部分も覆わない。しかし、第２の非導電性中空管状部材３３８は、非導電性ブレード２１２の非切断端の近くに配置されているアクティブ電極／接点２２０の一部を覆ってもよい。第１の非導電性中空管状部材３３２は、超極性電気外科用ブレード２００の非導電性シェルフ支持体２２６上に位置することができ、第１の非導電性中空管状部材３３２は交換可能／置換可能であり得る。あるいは、第１の非導電性中空管状部材３３２は、第２の非導電性中空管状部材３３８および／または非導電性シェルフ支持体２２６に恒久的に取り付けられてもよい。
【００３８】
超極性電気外科用ブレードアセンブリ３００は、超極性伸縮電気外科用ペンシル１００の中空伸縮部材１３２内に含まれる要素に接続される。より具体的には、超極性伸縮電気外科用ペンシル１００の第３の導電性中空管１４０の一端が、超極性電気外科用ブレードアセンブリ３００の第２の非導電性中空管状部材３３８に挿入されて接続され、また超極性電気外科用ペンシル１００の導電性円筒形部材１４２の一端が、超極性電気外科用ブレードアセンブリ３００の超極性電気外科用ブレード２００の非切断端に位置するリターン電極／接点２２２に接続される。
【００３９】
図１１は、超極性電気外科用ブレードアセンブリ３００の非導電性中空管状部材３３６および超極性伸縮電気外科用ペンシル１００の第３の導電性中空管１４０を伴わない、図１０に示す超極性電気外科用ブレードアセンブリ３００の例示的実施形態の上面図である。
【００４０】
図１２は、超極性電気外科用ブレード２００の対向する側部に配置されているアクティブおよびリターン接点／電極を示すための、１８０度回転させて示した、図１０に描写している、超極性伸縮電気外科用ペンシル１００の超極性電気外科用ブレードアセンブリ３００、第３の導電性管１４０、および導電性円筒形部材１４２の例示的実施形態の斜視図である。図１０および図１２に示すように、第１の非導電性中空管状部材３３２が超極性電気外科用ブレード２００の狭く細長い頂部２１６の上に位置するとき、第１の非導電性中空管状部材３３２は、非導電性ブレード２１２の一方の対向する平坦側部２１４にあるリターン電極／接点２２２の一部（図１０参照）、および非導電性ブレード２１２の他方の対向する平坦側部２１４にあるアクティブ電極／コンタクト２２０の一部（図１２参照）を覆う。非導電性ブレード２１２および第１の非導電性中空管状部材３３２はそれぞれセラミック材料を含むことができる。第２の非導電性中空管状部材３３８もセラミック材料を含み得る。
【００４１】
本発明の超極性伸縮電気外科用ペンシル１００の例示的な一実施形態は、超極性電気外科用ブレードアセンブリ３００の第２の非導電性中空管状部材３３８を含まなくてもよい。この実施形態では、非導電性中空管状部材３３２は長さがより長くなり、超極性電気外科用ブレード２００の非切断端まで延在する。この実施形態では、超極性電気外科用ブレードアセンブリ３００を超極性伸縮電気外科用ペンシル１００の中空伸縮部材１３２内に含まれる要素に接続する際に、超極性伸縮電気外科用ペンシル１００の第３の導電性中空管１４０の一端が、超極性電気外科用ブレードアセンブリ３００の非導電性中空管状部材３３２に挿入されて接続され、また超極性電気外科用ペンシル１００の導電性円筒形部材１４２の一端が、超極性電気外科用ブレードアセンブリ３００の超極性電気外科用ブレード２００の非切断端に位置するリターン電極／接点２２２に接続される。
【００４２】
図９に示す超極性伸縮電気外科用ペンシルの例示的な実施形態に戻ると、管１７９を通るガスの供給が第１の導電性中空管１２０に接続され、ガスは第１の導電性管１２０、第３の導電性管１４０を経て第２の非導電性管状部材３３８に移動し、非導電性管状部材３３２を通る。ガスは、非導電性中空管状部材３３２内に収容されたアクティブ電極２２０およびリターン電極２２２の諸部分と接触するとイオン化され、イオン化ガスは次に、超極性電気外科用ブレード２００の鋭利な切断端２１８に最も近い位置にある、非導電性中空管状部材３３２の開口部３３６を通して放出される。ワイヤ１８０は、ハンドピース部材１１２内の回路基板（図示せず）に第１の導電性中空管１２０および第２の導電性中空管１２２を接続し、回路基板はひいては電源コード１８４を介して電源に接続される。ハンドピース部材１１２の選択ボタン１８８は、切断および／または凝固を作動させるために使用される。
【００４３】
本明細書における本発明の例示的な実施形態の上記の説明は、本発明の様々な例示的実施形態を示す。これらの例示的な実施形態およびモードは、当業者が本発明を実施することを可能にするために十分詳細に説明されて示されており、決して本発明の範囲、適用性、または構成を限定することを意図していない。むしろ、この開示は、例示的な実施態様およびモードの実施形態ならびに当業者に知られているか明白である任意の同等のモードまたは実施形態の両方を教示することを意図している。さらに、含まれるすべての例は、例示的な実施形態およびモードの非限定的な例示であり、それらも同様に、当業者に知られているか明らかである任意の同等のモードまたは実施形態に役立つ。
【００４４】
特に列挙されていないものに加えて、本発明の実施において使用される構造、配置、用途、割合、要素、材料、または構成要素の他の組み合わせおよび／または修正は、変更することができ、さもなければ本発明の範囲から逸脱することなく、特定の環境、製造上の仕様、設計パラメータ、または他の動作要件に特に適合させることができ、また本開示に含まれることが意図されている。
【００４５】
特に明記しない限り、明細書および特許請求の範囲における語句に、一般に認められている一般的な意味、または当業者によって使用される通常の慣用の意味を与えることを、出願人は意図している。それらの意味が異なる場合、明細書および特許請求の範囲における語句は、可能な限り広く一般的な意味を与えられるべきである。他のいずれかの特別な意味をいずれかの語句に対して意図している場合、本明細書は特別な意味について明確に述べて定義している。
【図１】
2019522547.tif 000003
【図２】
2019522547.tif 000004
【図３】
2019522547.tif 000005
【図４】
2019522547.tif 000006
【図５】
2019522547.tif 000007
【図６】
2019522547.tif 000008
【図７】
2019522547.tif 000009
【図８】
2019522547.tif 000010
【図９】
2019522547.tif 000011
【図１０】
2019522547.tif 000012
【図１１】
2019522547.tif 000013
【図１２】
2019522547.tif 000014
【図１３】
2019522547.tif 000015
【図１４】
2019522547.tif 000016
【手続補正書】
【提出日】平成31年4月8日(2019.4.8)
【手続補正１】
【補正対象書類名】図面
【補正対象項目名】全図
【補正方法】変更
【補正の内容】
【図１】
2019522547.tif 000017
【図２】
2019522547.tif 000018
【図３】
2019522547.tif 000019
【図４】
2019522547.tif 000020
【図５】
2019522547.tif 000021
【図６】
2019522547.tif 000022
【図７】
2019522547.tif 000023
【図８】
2019522547.tif 000024
【図９】
2019522547.tif 000025
【図１０】
2019522547.tif 000026
【図１１】
2019522547.tif 000027
【図１２】
2019522547.tif 000028
【図１３】
2019522547.tif 000029
【図１４】
2019522547.tif 000030
【国際調査報告】
2019522547.tif 000031